(57)【特許請求の範囲】
【請求項１】
腹部部材と臀部部材とで筒状に形成された伸縮性素材から構成された布と、
前記布における下腹部から腰部に至る位置の表面に縫着され、上辺部が波形状に形成された略Ｕ字状の伸縮性のレース生地とを含む妊婦用腹帯であって、
前記腹部部材がその面の中央の縦幅が最も長くなるように円弧上に湾曲している一方、前記臀部部材はその面の中央の縦幅が最も短くなるように形成されており、その結果腰部は前記腹部部材の面の中央から前記臀部部材の面の中央にかけて側面視にて斜め下方向を向くようになり、裾部は前記腹部部材の面の中央から前記臀部部材の面の中央にかけて側面視にて斜め上方向を向くようになっていることを特徴とする妊婦用腹帯。
【請求項２】
裾部及び腰部の全周にわたって縫着されたレース生地を含むことを特徴とする、請求項１記載の妊婦用腹帯。
【請求項３】
腰部に着脱可能なパッドを有することを特徴とする、請求項１又は２のいずれかに記載の妊婦用腹帯。
【発明の詳細な説明】
【技術分野】
【０００１】
本発明は妊婦用腹帯に関し、詳しくはウエディングドレス等の服に合わせて着用してもその外観を損ねることがなく、容易に着脱することができ、妊婦の動きを阻害することなく下腹部をしっかりと保護することが可能であり、その効果が見た目にもわかりやすい妊婦用腹帯に関する。
【背景技術】
【０００２】
一般に、妊娠した女性は５か月目位から下腹部を保護・保温して胎児を正常に保つ目的で腹帯を着用するが、従来この腹帯としてはさらし木綿からなる岩田帯（祝い帯、斎肌帯、結い肌帯等とも言う）が使用されていた。これらの従来の腹帯はもっぱら実用性のみを考慮したものであって外観的な装飾は何らなされていないために見た目が悪いという欠点があった。このような腹帯は長尺の帯からなるものであるため一人での着用が難しい上に着脱に時間がかかり、着用すると腹部が大きく膨らんでしまい不格好であるという欠点があった。
【０００３】
最近では丸編みの腹巻状の腹帯が主流となってきているが、デザイン性に欠けるものが多かった。
特に近年では、妊娠した女性が結婚式を挙げることも多くなったが、従来の腹帯を締めた状態ではウエディングドレスの着用が困難である上に、非常に恰好が悪いという問題があった。このような問題のために、従来の腹帯を着用した妊婦はウエディングドレス以外のおしゃれな服も着にくかった。
【０００４】
ウエディングドレス等の服に合わせて着用してもその外観を損ねることがなく、容易に着脱することができる妊婦用腹帯が求められている。
【０００５】
その一例として、本出願人が開発した特許文献１に記載の妊婦用腹帯が挙げられる。この妊婦用腹帯は、筒状に形成された伸縮性素材からなり、下腹部から腰部に至る位置の裏面にパワーネットが縫着されており、前記パワーネットの上辺部が波形状に形成されていることを特徴としており、裾部の表面にシャーリングされたレース生地が全長にわたって縫着されてなることが好ましいとされている。
特許文献１記載の発明は着脱が容易で下腹部をしっかり保護でき、ウエディングドレス等と合わせやすいという効果があるものの、パワーネットが裏面に縫着されているために下腹部をしっかり支える効果が見た目にわかりにくいという問題点を有する。
特許文献１記載の発明の臀部部材の縦幅が比較的広く、着用者の臀部を覆い隠すものであるため、着用者が動くと臀部部材がずりあがって布にしわが寄り、外観を損ねるという問題点を有する。
【先行技術文献】
【特許文献】
【０００６】
【特許文献１】特許第４３８７５７１号
【発明の概要】
【発明が解決しようとする課題】
【０００７】
本発明は、上記した従来技術の問題点を解決すべくなされたものであって、ウエディングドレス等の服に合わせて着用してもその外観を損ねることがなく、容易に着脱することができ、妊婦の動きを阻害することなく下腹部をしっかりと保護することが可能であり、その効果が見た目にもわかりやすい妊婦用腹帯を提供するものである。
【課題を解決するための手段】
【０００８】
請求項１に係る発明は、腹部部材と臀部部材とで筒状に形成された伸縮性素材から構成された布と、前記布における下腹部から腰部に至る位置の表面に縫着され、上辺部が波形状に形成された略Ｕ字状の伸縮性のレース生地とを含む妊婦用腹帯であって、前記腹部部材がその面の中央の縦幅が最も長くなるように円弧上に湾曲している一方、前記臀部部材はその面の中央の縦幅が最も短くなるように形成されており、その結果腰部は前記腹部部材の面の中央から前記臀部部材の面の中央にかけて側面視にて斜め下方向を向くようになり、裾部は前記腹部部材の面の中央から前記臀部部材の面の中央にかけて側面視にて斜め上方向を向くようになっていることを特徴とする妊婦用腹帯に関する。
【０００９】
請求項２に係る発明は、裾部及び腰部にレース生地が全周にわたって縫着されてなることを特徴とする、請求項１記載の妊婦用腹帯に関する。
【００１０】
請求項３に係る発明は、腰部に着脱可能なパッドを有することを特徴とする、請求項１又は２のいずれかに記載の妊婦用腹帯に関する。
【発明の効果】
【００１１】
請求項１に係る発明によれば、本発明の妊婦用腹帯が筒状に形成された伸縮性素材からなることで、着用の際にはスカートを履くのと同じ要領にて着用することができるので、従来のさらし木綿からなる腹帯に比べて着用が極めて容易である。しかも腹部の膨らみが小さく抑えられるために、腹帯を着用したままでウエディングドレス等を合わせて着ることが可能となる。
腹部部材がその面の中央の縦幅が最も長くなるように円弧上に湾曲している略逆五角形状であることで、腹部部材がずり上がりにくくなり、着用者のお腹をしっかり保温することができる。臀部部材はその面の中央の縦幅が最も短くなるように略長方形状に形成されていることにより、着用者が動いても妊婦用腹帯の臀部部材がずり上がって布にしわが寄ることがないため、外観を損ねないという効果を奏する。さらに、その結果腰部は前記腹部部材の面の中央から前記臀部部材の面の中央にかけて側面視にて斜め下方向を向くようになり、裾部は前記腹部部材の面の中央から前記臀部部材の面の中央にかけて側面視にて斜め上方向を向くようになる。
下腹部から腰部に至る位置に伸縮性のレース生地が縫着されていることで、妊婦の下腹部から腰にかけての部分がしっかりと支えられ、胎児を安定して保持することが可能となる。伸縮性のレース生地を使用することで外観的にも優れたものになり、楽しく着用することができる。
この伸縮性のレース生地が表面に縫着されていることにより、本発明の下腹部を支える効果が見た目にわかりやすいという効果を奏する。
伸縮性のレース生地の上辺部が前記伸縮性のレース生地による引っ張り力がグラデーション的に分散して働くような波形状に形成されていることで、着用者の腹部で最も張っている部分に対応して生地が十分に伸び、伸縮性が高いため腹部をしっかりと支えることができる。伸縮性のレース生地による引っ張り力がグラデーション的に分散して働き、着用者は伸縮性のレース生地が縫着された部分に偏った強い締めつけ感を感じることがない。
【００１２】
請求項２に係る発明によれば、裾部及び腰部にレース生地が全周にわたって縫着されていることにより、見た目がお洒落で可愛らしいデザイン性に優れた外観となり、楽しく着用することができる。
【００１３】
請求項３に係る発明によれば、腰部に着脱可能なパッドを有することにより、ブラジャーのカップ部下辺のワイヤーや上半身用の補整下着に含まれ補整力を高めるボーン（金属製のスパイラルボーンやプラスチック製のプラスチックボーンを含む）が着用者の腹部に直接当たるのを防ぐことができる。
【図面の簡単な説明】
【００１４】
【図１】本発明の一実施形態に係る、腰部に着脱可能なパッドを有する妊婦用腹帯の正面図である。
【図２】本発明に係る妊婦用腹帯の背面図である。
【図３】本発明に係る妊婦用腹帯の側面図である。
【図４】本発明に係る妊婦用腹帯を着用した状態を示す図である。
【図５】本発明に係る妊婦用腹帯を着用した状態における作用を説明する図である。
【図６】本発明に係る妊婦用腹帯と併用できる支え帯を広げた状態を示す正面図である。
【図７】本発明に係る妊婦用腹帯と併用できる支え帯を広げた状態を示す背面図である。
【図８】本発明に係る妊婦用腹帯と支え帯を併用して着用した状態を示す図である。
【発明を実施するための形態】
【００１５】
以下、本発明の一実施形態に係る妊婦用腹帯について、適宜図面を参照しながら詳細に説明する。
【００１６】
＜１．妊婦用腹帯＞
図１乃至図３は、それぞれ本発明に係る妊婦用腹帯の正面図、背面図及び側面図である。
本発明に係る妊婦用腹帯（１）は、腹部部材（６）と臀部部材（５）とで筒状に形成されており、伸縮性素材から構成されている。図示例において妊婦用腹帯（１）は一枚の布からなり、臀部部材（５）の面の中央で縫着されているが、妊婦用腹帯（１）は複数の布で構成されていても良い。
【００１７】
本発明に係る妊婦用腹帯の外観をより優れたものにするために、裾部（２）及び腰部（３）にはレース生地（４）が全周にわたって縫着されていることが望ましい。レース生地（４）の素材や形態は特に限定されない。レース生地（４）の縫着方法として例えばシャーリング等が挙げられるが、特に限定されない。
【００１８】
本発明において、妊婦用腹帯（１）を構成する伸縮性素材は二方向に同時に伸張可能な二方向伸縮性編地とされ、具体的にはツーウェイトリコット編地が好適に使用される。より好ましくはジャガード編み等によって花柄等のお洒落な模様が表面に施されたツーウェイトリコット編地が使用される。
【００１９】
腹部部材（６）がその面の中央の縦幅が最も長くなるように円弧上に湾曲している一方、臀部部材（５）はその面の中央の縦幅が最も短くなるように形成されている。これにより、図３に示す如く腰部（３）は腹部部材（６）の面の中央から臀部部材（５）の面の中央にかけて側面視にて斜め下方向を向くようになっており、裾部（２）は腹部部材（６）の面の中央から臀部部材（５）の面の中央にかけて側面視にて斜め上方向を向くようになっている。
腹部部材（６）及び臀部部材（５）の形状は、図１及び２に示す如くそれぞれ略長方形状であっても良いが、特に限定されない。
【００２０】
上記した妊婦用腹帯（１）を構成する伸縮性素材の下腹部から腰部（３）に至る位置の表面には、伸縮性のレース生地（７）が縫着されている。伸縮性のレース生地（７）は下腹部から腰部（３）にかけて略Ｕ字状に縫着されており、図１に示す如くその上辺部が波形状に形成されている。伸縮性レース生地（７）は伸縮性のある素材を使用する限り特に限定されず、図示例のような幅広なレース生地であっても、より幅の狭いリボン状のものであっても良い。
【００２１】
上記した妊婦用腹帯（１）の腰部（３）にパッド（８）を有することが望ましい。パッド（８）は腹部部材（６）の腰部（３）に配されても、臀部部材（５）の腰部（３）に配されても良い。パッド（８）は好ましくは着脱可能であり、図１に点線で図示しているように腹部部材（６）の腰部（３）の裏面にパッド収納部（９）を設けても良く、例えばパッド（８）と腰部（３）に、ボタンやスナップ、面ファスナー等互いに係止可能な係止部材を取り付けても良い。パッド（８）は腰部（３）の裏面にあっても表面にあっても良く、パッド（８）の形状は特に限定されない。
【００２２】
図４は本発明に係る妊婦用腹帯を着用した状態を示す図であり、図５は本発明に係る妊婦用腹帯を着用した状態における作用を説明する図である。図５における二点鎖線は、着用者の膨らんだ腹部を表す仮想線である。
図４に図示の如く、上記構成からなる妊婦用腹帯（１）は腰部から下腹部までを覆うような形態で着用される。
この着用の際には、スカートを履くのと同じ要領にて着用することができるので、従来のさらし木綿からなる腹帯に比べて着用が極めて容易である。
裾部（２）及び腰部（３）にはレース生地（４）が全周にわたって縫着されていることで外観的に優れたものになる。
腹部部材がその面の中央の縦幅が最も長くなるように円弧上に湾曲していることで、腹部部材がずり上がりにくくなり、着用者の腹部をしっかり保温することができる。臀部部材はその面の中央の縦幅が最も短くなるように形成されていることにより、着用者が動いても妊婦用腹帯の臀部部材がずり上がって布にしわが寄ることがないため、外観を損ねないという効果を奏する。
【００２３】
妊婦用腹帯（１）を構成する伸縮性素材の下腹部から腰部に至る位置には伸縮性のレース生地（７）が縫着されているため、着用者の下腹部から腰にかけての部分がしっかりと支えられ、胎児を安定して保持することが可能となる。
伸縮性のレース生地（７）が表面に縫着されていることで、下腹部から腰にかけての部分がしっかり支えられ、胎児を安定して保持することができるという効果が見た目にもわかりやすいという効果を奏する。
伸縮性のレース生地（７）の上辺が波形に形成されていることによって、着用者の腹部で最も張っている部分に対応して生地が十分に伸び、伸縮性が高いため腹部をしっかりと支えることができる。妊婦用腹帯（１）はその着用時において図５に示す如く上方から下方にかけて順番（Ａ→Ｂ→Ｃ→Ｄの順）に斜め方向に伸長して、引張り力はグラデーション的に分散して働き、着用者は伸縮性のレース生地（７）が縫着された部分に偏った強い締めつけ感を感じることがない。
【００２４】
＜２．妊婦用腹帯と支え帯の併用＞
図６及び７は本発明に係る妊婦用腹帯と併用できる支え帯を広げた状態を示す正面図及び背面図であり、図８は本発明に係る妊婦用腹帯と支え帯を併用して着用した状態を示す図である。
本発明に係る妊婦用腹帯（１）は、妊娠５〜７か月目くらいまでは上記説明した腹帯を単独で使用しても充分にその機能を果たし得るものであるが、妊娠約７か月目以降になると以下に説明する支え帯と併用することが望ましい。
【００２５】
支え帯（１０）は長手方向における中央部（１１）が幅広に形成された帯体であって、中央部（１１）を挟んだ左右位置の表面にはそれぞれ面接合ファスナーの雌部材からなる被係止部（１２）が設けられており、裏面側の両端部にはこれらの被係止部（１２）に対して係脱可能な面接合ファスナーの雄部材からなる係止部（１３）が設けられている。
これら係止部（１３）及び被係止部（１２）は、右側の係止部（１３）を左側の被係止部（１２）に対して、左側の係止部（１３）を右側の被係止部（１２）に対してそれぞれ接合される。このとき、被係止部（１２）が支え帯の長手方向に或る程度長い範囲で形成されていることによって、その長さを容易に調節することが可能となっている。
【００２６】
中央部（１１）の表面には、装飾性を高めるために例えば花柄模様の刺繍やレースを用いた装飾が施されている。その裏面にはクッション性のある厚手の素材が縫着されている。
中央部（１１）及び被係止部（１２）を除いた部分は長手方向に対して伸長可能な伸縮性素材から形成されている。
【００２７】
上記構成からなる支え帯（１０）は、妊婦用腹帯（１）を着用した状態（図４）において、右側の係止部（１３）を左側の被係止部（１２）に対して、左側の係止部（１３）を右側の被係止部（１２）に対してそれぞれ接合することによって、図８に示すように妊婦用腹帯（１）と併用して着用することができる。
妊婦用腹帯（１）の臀部部材（５）の裾部（２）に縫着されているレース生地（４）が、支え帯（１０）と併用して着用した状態でも隠れずに見えるようにした方が外観的に優れたものになるため、妊婦用腹帯（１）の臀部部材（５）の面の中央の縦幅と、支え帯（１０）の側部（１４）の縦幅とを略等しくすることが望ましい。
【００２８】
図８に示すように支え帯（１０）と妊婦用腹帯（１）とを併用することによって、着用者の下腹部から腰にかけての部分がよりしっかりと確実に支えられるようになり、妊娠後期の腹部が大きく膨らんだ状態であっても胎児を安定して保持することが可能となる。
支え帯（１０）の表面に刺繍、レース、リボン等の装飾が施されていることによって外観的にも優れたものとなる。
【産業上の利用可能性】
【００２９】
本発明に係る妊婦用腹帯は、ウエディングドレス等の服に合わせて着用してもその外観を損ねることがなく、容易に着脱することができ、妊婦の動きを阻害することなく下腹部をしっかりと保護することが可能であり、その効果が見た目にもわかりやすい妊婦用腹帯として好適に利用される。
【符号の説明】
【００３０】
１    妊婦用腹帯
２    裾部
３    腰部
４    レース生地
５    臀部部材
６    腹部部材
７    伸縮性のレース生地
８    パッド
９    パッド収納部
１０  支え帯
１１  中央部
１２  被係止部
１３  係止部
１４  側部
【要約】
【課題】  ウエディングドレス等の服に合わせて着用してもその外観を損ねることがなく、容易に着脱することができ、妊婦の動きを阻害することなく下腹部をしっかりと保護することが可能であり、その効果が見た目にもわかりやすい妊婦用腹帯を提供すること。
【解決手段】  腹部部材と臀部部材とで筒状に形成された妊婦用腹帯であって、前記腹部部材がその面の中央の縦幅が最も長くなるように円弧上に湾曲している一方、前記臀部部材はその面の中央の縦幅が最も短くなるように形成されており、下腹部から腰部に至る位置の表面に伸縮性のレース生地が縫着されており、前記伸縮性のレース生地の上辺部が波形状に形成されているとともに、これらの素材は全て伸縮性素材から構成されていることを特徴とする妊婦用腹帯とする。
【選択図】図４【図１】
0005916178.tif 000002
【図２】
0005916178.tif 000003
【図３】
0005916178.tif 000004
【図４】
0005916178.tif 000005
【図５】
0005916178.tif 000006
【図６】
0005916178.tif 000007
【図７】
0005916178.tif 000008
【図８】
0005916178.tif 000009